【手続補正書】
【提出日】平成17年6月14日(2005.6.14)
【手続補正１】
【補正対象書類名】明細書
【補正対象項目名】特許請求の範囲
【補正方法】変更
【補正の内容】
【特許請求の範囲】
【請求項１】
接客係が注文データを入力する注文入力装置と、前記注文入力装置で入力された注文データを処理し、調理指示データを生成する注文制御装置と、前記注文制御装置から出力された調理指示データを出力する調理指示出力装置を有する注文管理システムであって、
前記注文入力装置は、本体表面側にメニューを表示する表示画面を備え、該本体裏面側には前記表示画面に表示されたメニューを指の移動に連動して選択可能に指示するタッチパネル方式の操作部を備えるとともに、前記指の移動に連動して選択した前記メニューを選択する選択キーと、該選択キーが選択したメニュー選択を解除する解除キーとを備えることを特徴とする注文管理システム。
【請求項２】
前記注文制御装置は、登録された注文品名を含む全注文データから注文品ごとにキーワードを生成し全注文データに付加する機能を有し、前記キーワードが付加された前記全注文データを前記注文入力装置に転送する手段を有することを特徴とする請求項１に記載の注文管理システム。
【請求項３】
前記注文入力装置は、前記全注文データに付加された前記キーワードの頭文字を整列して表示画面に表示する機能を有することを特徴とする請求項２に記載の注文管理システム。
【請求項４】
前記注文入力装置は、前記操作部におけるタッチパネル上の指の接触位置により、前記表示画面上のカーソルを移動する機能を備えており、前記キーワードの頭文字上にカーソルを移動して前記選択キーを押すとキーワード一覧が表示され、さらに選択したいキーワード上に前記タッチパネルを操作して前記カーソルを移動し選択キーを押すと、キーワードとして予め登録してある注文データの中からキーワードに該当する注文品名の候補を検索して表示し、表示された注文品名の候補から注文する注文品上にカーソルを移動して注文品を選択すると、その注文品に対応する注文データが前記注文制御装置に転送される機能を備えていることを特徴とする請求項３に記載の注文管理システム。
【請求項５】
前記注文入力装置は、裏側のタッチパネル以外に表示画面上にもタッチパネルを有することを特徴とする請求項１に記載の注文管理システム。
【請求項６】
前記注文入力装置は、操作履歴を保存し、前記解除キーによって前の状態に戻す機能を有することを特徴とする請求項４に記載の注文管理システム。
【請求項７】
前記注文入力装置は、前記操作履歴を学習する機能により検索データ優先順位並べ替え機能を有し、操作履歴により画面表示されるキーワードや注文品名の表示順を並べ替える機能を有することを特徴とする請求項６に記載の注文管理システム。
【請求項８】
注文データを入力するための注文入力装置であって、
略直方体であって、ある一面に表示部と第１の操作部を備え、前記一面の反対側に位置する面に第２の操作部を備えた筐体を有し、
前記第１の操作部からの入力信号と前記第２の操作部からの入力信号とに基づいて、注文データを確定する、注文入力装置。
【請求項９】
注文データを入力するための注文入力装置であって、
略直方体であって、ある一面に表示部を備え、前記一面に垂直な面のいずれかに第１の操作部を備え、前記一面の反対側に位置する面に第２の操作部を備えた筐体を有し、
前記第１の操作部からの入力信号と前記第２の操作部からの入力信号とに基づいて、注文データを確定する、注文入力装置。
【請求項１０】
前記第２の操作部が、タッチパネルである、請求項８または９に記載の注文入力装置。
【請求項１１】
注文可能なメニューの名称と該メニューのキーワードとを関連付けて記憶する注文制御装置と、情報通信を行う注文入力装置であって、
前記メニューの名称と前記キーワードとを前記注文制御装置から受信する受信手段と、
情報を表示する表示手段と、
前記表示手段に表示された情報から必要な情報を選択して確定することで、該情報を入力情報として入力する入力手段と、
前記入力手段で入力された入力情報を含む情報もしくは関連付けられた情報を、前記受信手段で受信した前記メニューの名称もしくは前記キーワードから抽出し、前記表示手段に送出する表示情報を作成する表示情報作成手段と、
前記入力手段で入力された入力情報に基づいて、注文データを作成する注文データ作成手段と、
前記注文データ作成手段で作成した注文データを前記注文制御装置に送信する送信手段とを有し、
前記入力手段は、前記表示手段に表示された表示情報のうち、必要な情報を選択するための操作手段と、前記操作手段で選択した前記必要な情報を入力情報として確定するための確定手段とを有する、注文入力装置。
【請求項１２】
前記表示手段が、前記受信手段が受信した前記キーワードの頭文字を表示し、
前記操作手段が、前記表示手段が表示した前記頭文字から必要な頭文字を選択し、
前記確定手段が、前記操作手段が選択された前記頭文字を入力情報として確定し、
前記表示情報作成手段が、前記確定手段が確定した前記頭文字を有する前記キーワードを、前記受信手段が受信した前記キーワードから抽出して、表示情報を作成する、請求項１１に記載の注文入力装置。
【請求項１３】
前記表示手段が、前記表示情報作成手段が作成した、キーワードから構成される表示情報を取得して表示し、
前記操作手段が、前記表示手段が表示した前記キーワードから必要なキーワードを選択し、
前記確定手段が、前記操作手段が選択した前記キーワードを入力情報として確定し、
前記表示情報作成手段が、前記確定手段が確定した前記キーワードと関連付けられた前記メニューの名称を、前記受信手段が受信した前記メニューの名称から抽出して、表示情報を作成する、請求項１２に記載の注文入力装置。
【請求項１４】
前記表示手段が、前記表示情報作成手段が作成した、メニューの名称から構成される表示情報を取得して表示し、
前記操作手段が、前記表示手段が表示した前記メニューの名称から必要なメニューの名称を選択し、
前記確定手段が、前記操作手段が選択した前記メニューの名称を入力情報として確定し、
前記注文データ作成手段が、前記確定手段が確定した前記メニューの名称を使用して注文データを作成し、
前記送信手段が、前記注文データ作成手段が作成した前記注文データを前記注文制御装置に送信する、請求項１３に記載の注文入力装置。
【請求項１５】
前記表示情報作成手段は、前記表示手段に送出する表示情報を、前記入力手段で入力された頻度の高い順に並べて作成して前記表示手段に送出する、請求項１３または１４に記載の注文入力装置。
【請求項１６】
注文可能なメニューの名称と該メニューのキーワードとを関連付けて記憶する注文制御装置と、情報通信を行う注文入力装置に用いられる注文データ作成方法であって、
前記注文入力装置は、受信手段と、表示手段と、入力手段と、表示情報作成手段と、注文データ作成手段とを有し、
受信手段で、前記メニューの名称と前記キーワードとを前記注文制御装置から受信するステップと、
表示手段で、情報を表示するステップと、
入力手段で、表示された前記情報から必要な情報を選択して確定することで、該情報を入力情報として入力するステップと、
表示情報作成手段で、入力された前記入力情報を含む情報もしくは関連付けられた情報を、受信した前記メニューの名称もしくは前記キーワードから抽出し、表示情報を作成するステップと、
注文データ作成手段で、入力された入力情報に基づいて、注文データを作成するステップと
を含む注文入力方法。
【請求項１７】
前記入力手段は、操作手段と確定手段を有し、前記入力情報を入力するステップは、
前記操作手段で、表示された表示情報のうち、必要な情報を選択するステップと、
前記確定手段で、選択した前記必要な情報を入力情報として確定するステップとを含む、請求項１６に記載の注文入力方法。
【請求項１８】
データを入力するための携帯可能な入力装置であって、
略直方体であって、ある一面に表示部と第１の操作部を備え、前記一面の反対側に位置する面に第２の操作部を備えた筐体を有し、
前記第１の操作部からの入力信号と前記第２の操作部からの入力信号とに基づいて、入力データを確定する、携帯可能な入力装置。
【請求項１９】
データを入力するための携帯可能な入力装置であって、
略直方体であって、ある一面に表示部を備え、前記一面に垂直な面のいずれかに第１の操作部を備え、前記一面の反対側に位置する面に第２の操作部を備えた筐体を有し、
前記第１の操作部からの入力信号と前記第２の操作部からの入力信号とに基づいて、入力データを確定する、携帯可能な入力装置。
【請求項２０】
前記第２の操作部が、タッチパネルである、請求項１８または１９に記載の携帯可能な入力装置。